(57)【特許請求の範囲】
【請求項１】
円筒状または円柱状のワーク（Ｗ）の外周面に粉末剤を転写塗布する装置であって、所定の周速度で回転駆動され、かつ、外周面に粉末剤が散布される粉末剤供給ローラ（１）と、粉末剤供給ローラ（１）に対し平行に配置されてワーク（Ｗ）にコロガリ接触し、かつ、粉末剤供給ローラ（１）と同一の周速度で同一方向に回転駆動される粉末剤塗布ローラ（２）と、粉末剤供給ローラ（１）及び粉末剤塗布ローラ（２）にコロガリ接触し、かつ、軸方向に往復駆動される粉末剤転写ローラ（３）と、粉末剤塗布ローラ（２）に対し平行に配置されてワーク（Ｗ）にコロガリ接触し、かつ、粉末剤塗布ローラ（２）と異る周速度で同一方向に回転駆動される支持ローラ（４）とを備えていることを特徴とする粉末剤の転写塗布装置。
【請求項２】
粉末剤供給ローラ（１）に粉末剤を散布するホッパ装置（５）が粉末剤供給ローラ（１）の上方に付設され、ホッパ装置（５）は、粉末剤供給ローラ（１）の軸方向に沿って張設されたスクリーン（５Ａ）により底面が構成されるホッパ（５Ｂ）と、スクリーン（５Ａ）の内面に添ってその長手方向に往復駆動されるスクレーパ（５Ｃ）とを有している請求項１に記載の粉末剤の転写塗布装置。
【請求項３】
ワーク（Ｗ）が粉末剤塗布ローラ（２）及び支持ローラ（４）上にセットされた際またはセットされる際にワーク（Ｗ）を検出するセンサを備え、センサがワーク（Ｗ）を検出した時点から所定時間経過した後に粉末剤塗布ローラ（２）及びワーク受けローラ（４）が回転駆動される様に構成された請求項１又は２に記載の粉末剤の転写塗布装置。
【請求項４】
ワーク（Ｗ）が、外周面に感光塗膜が形成された円筒状の電子写真感光体であり、粉末剤が、粉末潤滑剤である請求項１〜３の何れかに記載の粉末剤の転写塗布装置。
【発明の詳細な説明】
【０００１】
【発明の属する技術分野】
本発明は、粉末剤の転写塗布装置に関し、詳しくは、円筒状または円柱状のワークに対し、その軸方向及び周方向の外周全面に渡って均一に粉末剤を転写塗布することが出来、例えば、電子写真感光体の感光塗膜面に粉末潤滑剤を塗布する作業に好適な粉末剤の転写塗布装置に関する。
【０００２】
【従来の技術】
各種の複写機やプリンター等に使用される電子写真感光体は、円筒状のドラムの外周面に感光塗膜を形成して構成されている。そして、電子写真感光体の出荷に当っては、感光塗膜を保護するため、予め粉末潤滑剤が外周面に塗布されている。
【０００３】
電子写真感光体の外周面に粉末潤滑剤を塗布する方法に関しては、「回転ロールの表面に粉末潤滑剤を付着させ、当該回転ロールに電子写真感光体を接触させて回転させることを特徴とする電子写真感光体の表面処理方法」が本件出願人により提案されている（特開平９−２２１２５号公報参照）。そして、当該公報には、表面処理方法の実施に使用される装置の一例として、外周面に粉末潤滑剤が散布される第１転送ロール、第１転送ロールにコロガリ接触する第２転送ロール、及び第２転送ロールに対して平行に配置され、かつ、第２転送ロールと共に電子写真感光体にコロガリ接触する支持ロール等が開示されている。
【０００４】
【発明が解決しようとする課題】
ところで、前記公報に記載の表面処理装置においては、単なるコロガリ接触により第１転送ロールから第２転送ロールを介して電子写真感光体に粉末潤滑剤が転写される構造である。このため、粉末潤滑剤の塗布厚が電子写真感光体の軸方向に不均一となる虞がある。
【０００５】
本発明は、前記の実情に鑑みなされたものであり、その目的は、円筒状または円柱状のワークに対し、その軸方向及び周方向の外周全面に渡って均一に粉末剤を転写塗布することが出来、電子写真感光体の感光塗膜面に粉末潤滑剤を塗布する作業に好適な粉末剤の転写塗布装置を提供することを目的とする。
【０００６】
【課題を解決するための手段】
前記の目的を達成する手段として、本発明に係る粉末剤の転写塗布装置は、円筒状または円柱状のワークの外周面に粉末剤を転写塗布する装置であって、所定の周速度で回転駆動され、かつ、外周面に粉末剤が散布される粉末剤供給ローラと、当該粉末剤供給ローラに対し平行に配置されてワークにコロガリ接触し、かつ、粉末剤供給ローラと同一の周速度で同一方向に回転駆動される粉末剤塗布ローラと、前記粉末剤供給ローラ及び粉末剤塗布ローラにコロガリ接触し、かつ、軸方向に往復駆動される粉末剤転写ローラと、前記粉末剤塗布ローラに対し平行に配置されてワークにコロガリ接触し、かつ、粉末剤塗布ローラと異る周速度で同一方向に回転駆動される支持ローラとを備えいることを特徴とする。
【０００７】
本発明においては、粉末剤供給ローラに粉末剤を散布するホッパ装置として、粉末剤供給ローラの軸方向に沿って張設されたスクリーンにより底面が構成されるホッパと、前記スクリーンの内面に添ってその長手方向に往復駆動されるスクレーパとを有するホッパ装置が粉末剤供給ローラの上方に付設されているのが好ましい。
【０００８】
また、本発明の粉末剤の転写塗布装置は、ワークが粉末剤塗布ローラ及び支持ローラ上にセットされた際またはセットされる際にワーク検出するセンサを備え、センサがワークの通過を検出した時点から所定時間経過した後に粉末剤塗布ローラ及びワーク受けローラが回転駆動される様に構成されているのが好ましい。
【０００９】
本発明の粉末剤の転写塗布装置は、外周面に感光塗膜が形成された円筒状の電子写真感光体をワークとし、その外周面に粉末潤滑剤を塗布する場合に好適である。
【００１０】
【発明の実施の形態】
以下、図面を参照して本発明に係る粉末剤の転写塗布装置を説明する。図１は、粉末剤の転写塗布装置の概略構造を示す斜視図である。
【００１１】
本発明の粉末剤の転写塗布装置は、図１に示す様に、円筒状または円柱状のワーク（Ｗ）の外周面に粉末剤を転写塗布する装置である。斯かる粉末剤の転写塗布装置は、所定の周速度で回転駆動され、かつ、外周面に粉末剤が散布される粉末剤供給ローラ（１）と、粉末剤供給ローラ（１）に対し平行に配置されてワーク（Ｗ）にコロガリ接触し、かつ、粉末剤供給ローラ（１）と同一の周速度で同一方向に回転駆動される粉末剤塗布ローラ（２）と、粉末剤供給ローラ（１）及び粉末剤塗布ローラ（２）にコロガリ接触し、かつ、軸方向に往復駆動される粉末剤転写ローラ（３）と、粉末剤塗布ローラ（２）に対し平行に配置されてワーク（Ｗ）にコロガリ接触し、かつ、粉末剤塗布ローラ（２）と異る周速度で同一方向に回転駆動される支持ローラ（４）とを備えている。
【００１２】
また、本発明の粉末剤の転写塗布装置には、粉末剤供給ローラ（１）に粉末剤を散布するホッパ装置（５）が粉末剤供給ローラ（１）の上方に付設されている。
【００１３】
ワーク（Ｗ）としては、例えば、各種の複写機やプリンター等に使用される電子写真感光体が挙げられる。電子写真感光体は、ドラムの外周面に感光塗膜が形成されて成り、その長さは２００〜１０００ｍｍ程度に設定され、外形は１５〜２００ｍｍ程度に設定されている。
【００１４】
粉末剤としては、シリコーン系、モリブデン系、フッ素系の粉末潤滑剤が挙げられる。具体例的には、テフロン粒子、ポリフッ化ビニリデン粒子などである。三菱化学（株）製の商品「カイナー」（ポリフッ化ビニリデン粒子）は、好適な粉末潤滑剤の一例である。
【００１５】
粉末剤供給ローラ（１）は、図示されないフレームに両端側の中心軸が回転自在に支持されており、その一端側の中心軸（１Ａ）にはプーリ（１Ｂ）が固定されている。粉末剤供給ローラ（１）の外周面は、上方のホッパ装置（５）から散布される粉末剤を外周面に保持できる様に、弾性を有するスポンジ状の発泡ウレタン樹脂等により構成されている。
【００１６】
粉末剤塗布ローラ（２）は、粉末剤供給ローラ（１）と同一の長さで且つ同一の外径寸法に設定され、その外周面は弾性を有するスポンジ状の発泡ウレタン樹脂等により構成されている。そして、この粉末剤塗布ローラ（２）は、図示されないフレームに両端側の中心軸が回転自在に支持されており、その一端側の中心軸（２Ａ）には、前記プーリ（１Ａ）と同一径のプーリ（２Ｂ）と、これより小径のプーリ（２Ｃ）が固定されている。
【００１７】
粉末剤供給ローラ（１）、粉末剤塗布ローラ（２）及びワーク受けローラ（４）の駆動源として、図示されないフレームには駆動モータ（６）が固定され、その回転軸（６Ａ）にはプーリ（６Ｂ）が固定されている。そして、駆動ベルト（６Ｃ）が駆動モータ（６）側のプーリ（６Ｂ）と、粉末剤供給ローラ（１）側のプーリ（１Ｂ）と、粉末剤塗布ローラ（２）側のプーリ（２Ｂ）とに巻回されることにより、粉末剤供給ローラ（１）及び粉末剤塗布ローラ（２）が同一の周速度で同一方向に回転駆動される様に構成されている。
【００１８】
粉末剤転写ローラ（３）は、粉末剤供給ローラ（１）及び粉末剤塗布ローラ（２）と同一の長さで且つこれらより小径の外径寸法に設定され、その外周面は弾性を有するスポンジ状の発泡ウレタン樹脂等により構成されている。粉末剤転写ローラ（３）の両端には中心軸（３Ａ）、（３Ｂ）が突設され、一端側の中心軸（３Ａ）は、ローラに内蔵されたコイルスプリング（３Ｃ）によって伸縮自在に構成されている。
【００１９】
前記粉末剤転写ローラ（３）の一端側の中心軸（３Ａ）は、図示されないフレーム側の軸受部材に対し回転自在に且つ軸方向には移動不能に支持されている。そして、粉末剤転写ローラ（３）の他端側の中心軸（３Ｂ）は、その先端面が図示されないフレームに固定されたエアシリンダ（７）のピストンロッド（７Ａ）の先端面に回転自在に突当てられている。エアシリンダ（７）は、ピストンロッド（７Ａ）が伸縮動作を繰返す様に作動が制御されている。このため、粉末剤転写ローラ（３）は、エアシリンダ（７）の作動により、軸方向に往復駆動される。
【００２０】
支持ローラ（４）は、粉末剤塗布ローラ（２）と同一の長さで且つこれより若干小径の外径寸法に設定され、その外周面は弾性を有するスポンジ状の発泡ウレタン樹脂等により構成されている。この支持ローラ（４）は、図示されないフレームに両端側の中心軸が回転自在に支持されており、その一端側の中心軸（４Ａ）には、前記プーリ（２Ｃ）と同一径のプーリ（４Ｂ）が固定されている。そして、このプーリ（４Ｂ）と粉末剤塗布ローラ（２）側のプーリ（２Ｃ）とに駆動ベルト（４Ｃ）が巻回されることにより、支持ローラ（４）は、粉末剤塗布ローラ（２）より僅かに遅い周速度で同一方向に回転駆動される様に構成されている。
【００２１】
ホッパ装置（５）は、粉末剤供給ローラ（１）の軸方向に沿って張設されたスクリーン（５Ａ）により底面が構成されるホッパ（５Ｂ）と、スクリーン（５Ａ）の内面に添ってその長手方向に往復駆動されるスクレーパ（５Ｃ）とを有している。スクリーン（５Ａ）は、粉末剤により目詰りが生じない程度のメッシュの金網から成り、ホッパ（５Ｂ）に対して下方に膨出する円弧状の断面に張設されている。また、スクレーパ（５Ｃ）は、金網から成るスクリーン（５Ａ）の内面を効果的に払拭できる様に、アーム（５Ｄ）の先端にブラシ（５Ｅ）を有する構成とされている。そして、このスクレーパ（５Ｃ）は、図示されないフレームに固定されたエアシリンダ（８）にアーム（５Ｄ）が連結されている。エアシリンダ（８）は、アーム（５Ｄ）が往復運動を繰返す様に作動が制御されており、ブラシ（５Ｅ）はスクリーン（５Ａ）の内面に添ってその長手方向に往復駆動される様に構成されている。
【００２２】
なお、図１に示した実施形態において、粉末剤供給ローラ（１）の外周面には、その軸方向に沿って延びる小径の均しローラ（９）が揺動付勢されて圧接され、同様に粉末剤塗布ローラ（２）の外周面には、その軸方向に沿って延びる小径の均しローラ（１０）が揺動付勢されて圧接されている。また、粉末剤供給ローラ（１）、粉末剤塗布ローラ（２）及びワーク受けローラ（４）の下方には、落下する粉末剤を受けるトレイ（１１）及び除塵ホッパ（１２）が配設されている。
【００２３】
斯かる粉末剤の転写塗布装置は、ワーク（Ｗ）が粉末剤塗布ローラ（２）及び支持ローラ（４）上にセットされた際またはセットされる際にワーク（Ｗ）を検出するセンサを備えている。このセンサは、例えば、ワーク（Ｗ）がセットされる際に所定の通過ポイントを通過したことを検出する。そして、センサがワーク（Ｗ）の通過を検出した時点から所定時間経過した後に駆動モータ（６）が作動して粉末剤塗布ローラ（２）及び支持ローラ（４）が回転駆動される様に構成されている。駆動モータ（６）が作動するまでの所定時間は、ワーク（Ｗ）を粉末剤塗布ローラ（２）及び支持ローラ（４）上にセットするのに十分な時間として設定される。
【００２４】
次に、本発明に係る粉末剤の転写塗布装置の使用例および作用を説明する。本発明の粉末剤の転写塗布装置は、外周面に感光塗膜が形成された円筒状の電子写真感光体をワーク（Ｗ）として、その外周面に粉末潤滑剤を塗布する作業に好適に使用される。
【００２５】
先ず、所定の通過ポイントを通過させてワーク（Ｗ）を粉末剤塗布ローラ（２）及び支持ローラ（４）上にセットする。この場合、粉末剤塗布ローラ（２）及び支持ローラ（４）は、センサがワーク（Ｗ）の通過を検出した時点から所定時間経過した後に回転駆動されるため、ワーク（Ｗ）のセット時には停止状態にある。従って、ワーク（Ｗ）のセット作業は安全に且つ確実に行うことが出来る。また、仮に、粉末剤塗布ローラ（２）及び支持ローラ（４）が回転している状態でワーク（Ｗ）をセットすると、ワーク（Ｗ）の外周面が粉末剤塗布ローラ（２）の外周面に擦られ、その結果、ワーク（Ｗ）の外周面には軸方向に延びる筋状に粉末潤滑剤の濃淡パターンが発生するが、斯かる筋状の濃淡パターンの発生も未然に防止することが出来る。
【００２６】
センサがワーク（Ｗ）の通過を検出した時点から所定時間が経過すると、駆動モータ（６）、エアシリンダ（７）及びエアシリンダ（８）がそれぞれ作動を開始する。そして、駆動モータ（６）の回転により、粉末剤供給ローラ（１）及び粉末剤塗布ローラ（２）が同一の周速度で同一方向に回転駆動され、粉末剤転写ローラ（３）が両者にコロガリ接触して回転する。同時に、支持ローラ（４）が粉末剤塗布ローラ（２）より僅かに遅い周速度で同一方向に回転駆動され、ワーク（Ｗ）が粉末剤塗布ローラ（２）及び支持ローラ（４）にコロガリ接触して回転する。その際、ワーク（Ｗ）は粉末剤塗布ローラ（２）に対して僅かなスベリを伴ってコロガリ接触する。
【００２７】
一方、エアシリンダ（７）の作動により、粉末剤転写ローラ（３）が軸方向に往復駆動される。また、エアシリンダ（８）の作動により、スクレーパ（５Ｃ）を構成するアーム（５Ｄ）が往復運動を繰返し、その先端のブラシ（５Ｅ）がスクリーン（５Ａ）を構成する金網の内面に添ってその長手方向に往復駆動される。
【００２８】
ホッパ装置（５）においては、スクレーパ（５Ｃ）を構成するアーム（５Ｄ）がホッパ（５Ｂ）内に収容された粉末潤滑剤を撹拌し、ブラシ（５Ｅ）がスクリーン（５Ａ）の内面を払拭する。このため、粉末潤滑剤は、ブロッキングすることなくスムーズにスクリーン（５Ａ）を通過し、粉末剤供給ローラ（１）の軸方向に沿って均一に散布される。そして、粉末剤供給ローラ（１）の回転に伴い、その外周全面に粉末潤滑剤がムラなく塗布される。
【００２９】
粉末剤供給ローラ（１）の外周全面にムラなく塗布された粉末潤滑剤は、粉末剤転写ローラ（３）を介して粉末剤塗布ローラ（２）に転写される。その際、粉末剤転写ローラ（３）が軸方向に往復運動を繰返すため、粉末剤塗布ローラ（２）の外周面には、軸方向及び周方向の全面に渡って均一に粉末潤滑剤が転写される。
【００３０】
粉末剤塗布ローラ（２）の外周全面にわたって均一に転写された粉末潤滑剤は、ワーク（Ｗ）の回転に伴いその外周面に転写塗布される。その際、ワーク（Ｗ）は、粉末剤塗布ローラ（２）に対して僅かなスベリを伴ってコロガリ接触するため、粉末潤滑剤は確実にワーク（Ｗ）側へ転写される。従って、ワーク（Ｗ）に対し、その軸方向及び周方向の外周全面に渡って均一に粉末潤滑剤を転写塗布することが出来る。
【００３１】
【発明の効果】
以上説明した通り、本発明によれば、粉末剤供給ローラの外周面に散布された粉末剤が、粉末剤転写ローラ及び粉末剤塗布ローラを介してワークに転写塗布される。その際、粉末剤転写ローラが軸方向に往復駆動されるため、粉末剤塗布ローラの外周面には軸方向及び周方向の全面に渡って均一に粉末剤が転写される。そして、この粉末剤塗布ローラに対して支持ローラが異る周速度で回転駆動されるため、ワークは粉末剤塗布ローラの外周面に対してスベリを伴ってコロガリ接触する。従って、円筒状または円柱状のワークに対し、その軸方向及び周方向の外周全面に渡って均一に粉末剤を転写塗布することが出来、電子写真感光体の感光塗膜面に粉末潤滑剤を塗布する作業に好適である。
【００３２】
本発明において、粉末剤供給ローラの軸方向に沿って張設されたスクリーンにより底面が構成されるホッパと、前記スクリーンの内面に添ってその長手方向に往復駆動されるスクレーパとを有するホッパ装置が付設されている場合、ホッパ内の粉末剤は、スクレーパの往復運動に伴いスムーズにスクリーンを通過し、粉末剤供給ローラの軸方向に沿って均一に散布される。そして、粉末剤供給ローラの回転に伴い、その外周面には粉末剤がムラなく塗布される。従って、より均一に且つ確実にワークの外周全面に渡って粉末剤を転写塗布することが出来る。
【００３３】
また、回転している粉末剤塗布ローラ上にワークをセットすると、ワークの外周面が粉末剤塗布ローラの外周面に擦られ、その結果、ワークの外周面には軸方向に延びる筋状に粉末剤の濃淡パターンが発生する。しかしながら、本発明において、ワークが粉末剤塗布ローラ及び支持ローラ上にセットされた際またはセットされる際にワーク（Ｗ）を検出するセンサを備え、センサがワークを検出した時点から所定時間経過した後に粉末剤塗布ローラ及び支持ローラが回転駆動される様に構成されている場合、ワークを停止状態の粉末剤塗布ローラ及び支持ローラの上にセットすることが出来る。従って、斯かる筋状の濃淡パターンの発生も未然に防止することが出来、しかも、ワークのセット作業を安全に且つ確実に行うことが出来る。
【図面の簡単な説明】
【図１】本発明に係る粉末剤の転写塗布装置の概略構造を示す斜視図である。
【符号の説明】
１：粉末剤供給ローラ
１Ａ：中心軸
１Ｂ：プーリ
２：粉末剤塗布ローラ
２Ａ：中心軸
２Ｂ：プーリ
２Ｃ：プーリ
３：粉末剤転写ローラ
３Ａ：中心軸
３Ｂ：中心軸
３Ｃ：コイルスプリング
４：支持ローラ
４Ａ：中心軸
４Ｂ：プーリ
４Ｃ：駆動ベルト
５：ホッパ装置
５Ａ：スクリーン
５Ｂ：ホッパ
５Ｃ：スクレーパ
５Ｄ：アーム
５Ｅ：ブラシ
６：駆動モータ
６Ａ：回転軸
６Ｂ：プーリ
６Ｃ：駆動ベルト
７：エアシリンダ
７Ａ：ピストンロッド
８：エアシリンダ
９：均しローラ
１０：均しローラ
１１：トレイ
１２：除塵ホッパ
【図１】
0003736595.tif 000002